(57)【要約】１つの態様では、本発明は、駆動または非駆動となるように適合された駆動輪を含む、エンドレス・ループ・ロック装置を提供する。エンドレス・ループは、駆動輪と係合し、またエンドレス・ループに連結された安全バーなどの装置を移動させるために、駆動輪によって駆動されるように適合されて備えることができる。ガイドを、駆動輪から離間した位置で、エンドレス・ループにバイアスを掛けて、備えることができる。ロック装置は、エンドレス・ループと係合して、エンドレス・ループの動きを抑止するように備えることができ、ガイドは、エンドレス・ループが駆動輪によって駆動される時は、エンドレス・ループを、ロック装置との係合から外れてバイアスが掛かるように配置される。このロック装置は、駆動輪が駆動されていない時は、エンドレス・ループに連結された装置に加えられた力によって作動させることができる。
2004509306.tif 000002
【特許請求の範囲】
【請求項１】
（ａ）ある駆動速度で駆動されるように適合され、前記駆動速度とは異なる速度の回転に抵抗を有する駆動輪と、
（ｂ）第一の部分で前記駆動輪と係合し、連結された装置を移動させるために、前記駆動輪によって駆動されるように適合されたエンドレス・ループと、
（ｃ）前記駆動輪から離間した位置で前記エンドレス・ループの第二の部分にバイアスを掛けたガイドと、
（ｄ）前記エンドレス・ループと係合して、前記エンドレス・ループの動きを係止するロック装置であって、前記エンドレス・ループが前記駆動輪によって駆動される時、係合が外れるように前記エンドレス・ループにバイアスを掛けた前記ガイドが配置される、ロック装置とから成り、
（ｅ）　前記エンドレス・ループの前記第二の部分にテンションを及ぼすために、前記駆動輪がもたらした回転の前記抵抗に反発して動作させようと、外部からの力が、前記エンドレス・ループ及び前記エンドレス・ループに連結した前記装置に作用した時に、前記ロック装置は作動し、前記エンドレス・ループの前記第二の部分に及ぼされたテンションが、前記ガイドを変位させるに充分なテンションとなって、前記エンドレス・ループが前記ロック装置と係合する、
ことを特徴とするエンドレス・ループ・ロック装置。
【請求項２】
前記エンドレス・ループに前記連結された装置が、安全バーであることを特徴とする請求項１に記載のエンドレス・ループ・ロック装置。
【請求項３】
前記エンドレス・ループがチェーンであることを特徴とする請求項１に記載のエンドレス・ループ・ロック装置。
【請求項４】
前記エンドレス・ループがチェーンであることを特徴とする請求項２に記載のエンドレス・ループ・ロック装置。
【請求項５】
前記駆動輪が、電気モータによって動力を供給されることを特徴とする請求項１に記載のエンドレス・ループ・ロック装置。
【請求項６】
前記駆動輪が、電気モータによって動力を供給されることを特徴とする請求項２に記載のエンドレス・ループ・ロック装置。
【請求項７】
前記駆動輪が、電気モータによって動力を供給されることを特徴とする請求項３に記載のエンドレス・ループ・ロック装置。
【請求項８】
前記エンドレス・ループを抑止するクランプをさらに備え、前記クランプの動作が、前記駆動輪の回転に前記抵抗をもたらすことを特徴とする請求項１に記載のエンドレス・ループ・ロック装置。
【請求項９】
前記エンドレス・ループを抑止するクランプをさらに備え、前記クランプの動作が、前記駆動輪の回転に前記抵抗をもたらすことを特徴とする請求項７に記載のエンドレス・ループ・ロック装置。
【請求項１０】
前記ガイドの変位を検出する検出器をさらに備えることを特徴とする請求項１に記載のエンドレス・ループ・ロック装置。
【請求項１１】
（ａ）エンドレス・ループにテンションを及ぼし、前記エンドレス・ループと共に働き、外力に対して抵抗を有し、該抵抗によって前記エンドレス・ループにテンションを掛けるテンション付加手段と、
（ｂ）前記エンドレス・ループにテンションを及ぼす前記テンション付加手段から離間した位置で、前記エンドレス・ループにバイアスを掛けたガイドと、
（ｃ）前記エンドレス・ループと係合して、前記エンドレス・ループの動きを抑止するロック装置であって、前記エンドレス・ループにロック・テンションがない時は、係合しないように前記エンドレス・ループに前記バイアスを掛けた前記ガイドが配置される、ロック装置とから成り、
（ｄ）前記テンション付加手段がもたらした前記抵抗に反発して、前記ロック・テンションが、前記エンドレス・ループに加えられ、前記ガイドを動作させようと、外部からの力が、前記エンドレス・ループに作用した時に、前記ロック装置は作動し、前記ロック・テンションは、前記ガイドを変位させるに充分なテンションとなって、前記エンドレス・ループが前記ロック装置に係合する、
ことを特徴とするエンドレス・ループ・ロック装置。
【請求項１２】
安全バーが前記エンドレス・ループに連結されることを特徴とする請求項１１に記載のエンドレス・ループ・ロック装置。
【請求項１３】
前記エンドレス・ループがチェーンであることを特徴とする請求項１１に記載のエンドレス・ループ・ロック装置。
【請求項１４】
前記エンドレス・ループがチェーンであることを特徴とする請求項１２に記載のエンドレス・ループ・ロック装置。
【請求項１５】
前記エンドレス・ループにテンションを及ぼす前記手段が、前記エンドレス・ループを抑止するクランプであることを特徴とする請求項１１に記載のエンドレス・ループ・ロック装置。
【請求項１６】
ガイドの変位を検出する検出器をさらに備えることを特徴とする請求項１１に記載のエンドレス・ループ・ロック装置。
【請求項１７】
（ａ）エンドレス・ループにテンションを及ぼし、前記エンドレス・ループと共に働き、外力に対して抵抗を有し、該抵抗によって前記エンドレス・ループにテンションを掛けるテンション機構と、
（ｂ）前記テンション機構から離間した位置で、前記エンドレス・ループにバイアスを掛かけたガイドと、
（ｃ）前記エンドレス・ループと係合して、該エンドレス・ループの動きを抑止するロック装置であって、前記エンドレス・ループにロック・テンションがない時は、エンドレス・ループに係合しないよう前記バイアスが掛けられた前記ガイドが配置されたロック装置とから成り、
（ｄ）　前記テンション機構がもたらした前記抵抗に反発して、前記ロック・テンションが前記エンドレス・ループに加えられて、前記ガイドが動作するように、外部からの力が、前記エンドレス・ループに作用した時に、前記ロック装置は作動し、前記ロック・テンションは、前記ガイドを変位させるに充分なテンションとなって、前記エンドレス・ループが前記ロック装置に係合する、
ことを特徴とするエンドレス・ループ・ロック装置。
【請求項１８】
（ａ）エンドレス・ループにテンションを及ぼし、前記エンドレス・ループと共に働き、外力に対して抵抗を有し、該抵抗によって前記エンドレス・ループにテンションを掛けるテンション機構と、
（ｂ）前記テンション機構から離間した位置で、前記エンドレス・ループにバイアスを掛かけたガイドと、
（ｃ）前記エンドレス・ループと係合して、前記エンドレス・ループの動きを抑止するロック装置であって、前記ガイドと共に作用し、前記エンドレス・ループのロック・テンションによって前記ガイドが変位した時に、作動するロック装置と、から成り、
（ｄ）　前記テンション機構がもたらした前記抵抗に反発して、前記ロック・テンションが前記エンドレス・ループに加えられて、前記ガイドが動作するように、外部からの力が、前記エンドレス・ループに作用した時に、前記ロック装置は作動し、前記ロック・テンションは、前記ガイドを変位させるに充分なテンションとなって、前記エンドレス・ループが前記ロック装置に係合する、
ことを特徴とするエンドレス・ループ・ロック装置。
【発明の詳細な説明】
【０００１】
【発明の属する技術分野】
本発明は、安全バリアを駆動するように適合されたエンドレス・ループなどの、エンドレス・ループのロックおよびガイドの機械装置分野に関する。
【０００２】
【従来の技術】
窓および扉を覆って建物を防護にするために、安全バーを使用することができる。例えば、米国特許第５，９５７，１８１号明細書（Ｃｏｈｅｎ−Ｒａｖｉｄ）は、開口部を横断して延びる複数のバーを有する、安全バー・アセンブリを開示している。このバーは、駆動チェーンに接合する端部を有するが、このバーの端部は、駆動チェーンの連結部に連動して、バーを駆動させる。開示されている駆動機構は、駆動チェーンを動かすことで、バーが滑動し、その結果開口部を覆うことができる。エンドレス・ループが安全バーを駆動する、様々な別の安全バー設置方法を用いることが可能である。そのような設置方法では、安全バーが一旦下ろされると、それらを正しい位置でしっかりと固定されるロック装置を備えることが望ましい。
【０００３】
【発明の開示】
本発明は、安全バー・システムと共に使用するに適合可能なロック装置を提供する。このロック装置は、安全バー駆動機構に操作可能となるように連結された駆動ループの動きを抑止するよう適合されている。また、安全バーからなる安全バリアが閉じている時、この安全バリアを開けようとすると、制動装置が駆動チェーンと係合することで、駆動チェーンを係止し、その結果、安全バーをロックするような方法で、ロック装置は、駆動ループ・チェーンと係合するように適合されている。本発明のロック装置は、幅広く様々な別のロック機能または制動機能を適合することもでき、ある実施形態によっては、閉じた安全バーを開かないようにロックするとともに、人の腕などの物体が、バーの閉鎖移動に介入する際、（バーの移動によって生じるけがの防止の助けとなるよう）バーの閉鎖移動を中断するようにロックする安全機構を提供する。
【０００４】
ある態様では、本発明は、駆動または非駆動となるように適合された駆動輪を含んだエンドレス・ループ・ロック装置を提供する。この駆動輪は、外部の力が、駆動速度とは異なる速度で駆動輪を動かそうとする時、回転を妨げる抵抗を有することができる。例えば、このような抵抗は、電気モータによって駆動される駆動輪にもたらされ、この場合、モータが、エネルギーを供給されていない時、回転運動を妨げる抵抗をもたらす、または、モータが電気的に駆動されている速度以外の速度においては、この回転を妨げる抵抗をもたらすことができる。したがって、この駆動輪は、テンション機構としての役目を果たす。すなわち、エンドレス・ループの動きに抵抗することが可能となるようにエンドレス・ループと係合する機構をもたらすことによって、エンドレス・ループにテンションを及ぼす手段を提供する。別の実施形態では、駆動輪としての働きをしないすなわち非駆動のスプロケットまたはガイドなどの他の機構を、エンドレス・ループにテンションを及ぼす手段として設けることができる。
【０００５】
チェーンなどのエンドレス・ループは、駆動輪、またはエンドレス・ループにテンションを及ぼす別の手段と係合するように提供される。別の実施形態では、エンドレス・ループは、エンドレス・ループに連結された安全バーなどの装置を移動させるために、駆動輪によって駆動されるように適合することができる。ガイドは、駆動輪から離間した位置で、エンドレス・ループにバイアスをかけて、備えることができる。
【０００６】
ロック装置は、エンドレス・ループと係合して、エンドレス・ループの動きを係止するように提供されてもよく、エンドレス・ループが駆動輪によって駆動される時など、エンドレス・ループにロック・テンションが掛かっていない時は、ガイドが、エンドレス・ループとロック装置との係合が解除するようにバイアスがかかるように配置される。例えば、駆動輪が駆動されていない状態で駆動させるような力をこの装置に加えられた時、または、駆動輪によって与えられた速度よりも速く、もしくは遅く動くような力がこの装置に加えられた時、には、このロック装置は、エンドレス・ループに連結された装置に加えられたこれらの力によって作動可能となり、結果として、エンドレス・ループにロック・テンションが掛かるようになる。したがって、駆動輪によって与えられた回転に対する抵抗に反発するような力が、エンドレス・ループと連結された装置に加えられ、この装置を移動させようとした時に、ロック装置を作動させることができる。別の実施形態では、エンドレス・ループと係合するクランプ、エンドレス・ループと係合するスプロケット、またはエンドレス・ループにテンションを及ぼす別の手段によって、動きに対する抵抗をもたらされてもよい。装置に加えられた力は、エンドレス・ループにロック・テンションを及ぼすが、このロック・テンションは、その装置と駆動輪（または、エンドレス・ループにテンションを及ぼすクランプもしくは別の手段）との間に発生し、結果として、ロック・テンションは、ガイド部材に作用する。このようにして、エンドレス・ループは、エンドレス・ループのロック・テンションが、ガイドを変位するのに充分となった時、ロック装置と係合する（これは、ロック装置が作動したことを示すように検出器によって、検出することができる）。ロック装置によるエンドレス・ループとの係合は、チェーンと係合する固定ギアのスプラインの場合のように、エンドレス・ループの動きを抑止することができる。別の方法としては、ロック装置によるエンドレス・ループとの係合が、単にエンドレス・ループの動きを抑止するような、制動効果をもたらすだけの働きでもよい。
【０００７】
いくつかの実施形態おいて、ロック装置は、４つの要素を含む。即ち、エンドレス・ループと、エンドレス・ループにテンションを加える機構と、テンション機構によってもたらされるテンションに反発して、エンドレス・ループに力を及ぼすように使用されるエンドレス・ループに取り付けられる装置と、エンドレス・ループに充分なテンションが掛かった時にエンドレス・ループに係合されるロック装置もしくはロック部材と、である。このエンドレス・ループは、エンドレス・ループの第一の部分で、駆動輪などのテンション機構と係合し、エンドレス・ループの第二の部分で、ロック装置と係合する。装置からテンション機構に向けてエンドレス・ループに力が及ぼされ、それによって、エンドレス・ループの第二の部分が、充分なテンションを受けるようになる時に、ロック装置がエンドレス・ループに係合される。
【発明の実施の形態】
【０００８】
本発明のエンドレス・ループ・ロック装置は、図１に示す通り、開口部を覆うように設置された安全バリアと共に使用することができ、この場合、安全バリアは、開口部の両側にあるチャンネル１６内に保持される複数の安全バー１２を備えている。図２、３、および４に示す通り、安全バー１２を駆動する駆動機構を、チャンネル１６の一方または両方に設けることができる。
【０００９】
図２に示すように、チャンネル１６の最上部分に、駆動回転するように駆動輪２０が取り付けられている。駆動輪２０は、エンドレス・ループ１８にもたらす２つの状態を有するように、すなわち駆動または非駆動となるように適合されている。駆動輪２０は、非駆動時に、外部の力により回転しないような抵抗を有しており、例えば、電気モータによって駆動される駆動輪の場合では、電気モータにエネルギーを供給されていない時、または、電気モータを駆動している速度以外の速度で回転させようとした時に、電気モータは、外部から駆動輪を動かそうとする力に対して抵抗をもたらすことができる。
【００１０】
エンドレス・ループ１８は、図示する通り、エンドレス・ループ１８の第一の部分で駆動輪２０と係合するチェーンであり、この場合、エンドレス・ループ１８は、安全バー１２などの装置を移動させるために、駆動輪２０によって駆動されるように適合される。図示する実施形態では、安全バー１２は、チェーン連結部と係合するバー端部３６によって、エンドレス・ループ１８に連結され、一方、拡大バー端部ピース３４が、チャンネル１６のヘリ３２と共に働いて、バー１２をチャンネル１６内に保持する。別の方法では、この装置を、例えば、シャッター、またはバケットなどのコンベア・ベルト付属品（この場合、エンドレス・ループは、コンベア・ベルトとなる）のような、エンドレス・ループによって駆動される任意の構成要素でもよい。
【００１１】
図３に示す通り、駆動輪２０から離間した位置で、エンドレス・ループ１８の第二の部分にバイアスを掛けたガイド２２を設けることができ、図示する通り、ガイド２２は、上下方向に滑動可能となるようにチャンネル１６に取り付けるられている。また、図３では、エンドレス・ループ１８と係合して、エンドレス・ループ１８の動きを止めるように、ロック装置１４を備えている。エンドレス・ループ１８が駆動輪２０によって駆動される時に、ロック装置１４との係合が外れるよう、ガイド２２は、エンドレス・ループ１８にバイアスを掛けて、配置される。
【００１２】
ロック装置１４は、駆動輪２０が駆動していない時、エンドレス・ループ１８に連結された安全バー１２に加えられた力によって作動することができる。例えば、安全バー１２に加えられた力が、図３に示された矢印２４方向に作用し、駆動輪２０によって与えられる回転の抵抗に反発して、安全バー１２を上向きに押そうとする時、ロック装置１４を作動することができる。いくつかの実施形態によっては、ロック装置１４は、安全バー１２が下向きに押される時には、作動しない。すなわち、そのような動きは、ガイド２２に作用するように、エンドレス・ループ１８の第二の部分に、テンションを及ぼすことがないからである。
【００１３】
図示する通り、安全バー１２に加えられた上向きの力２４は、エンドレス・ループ１８にテンションを及ぼすことになり、そのテンションは、ガイド２２に作用するように、安全バー１２と駆動輪２０の間に及ぼされる。エンドレス・ループ１８は、エンドレス・ループ１８のテンションが、ガイド２２を変位させるのに充分でな力である時に、ロック装置１４と係合し、ガイド２２は、図示する実施形態において、上向きに滑動することができる。ガイド２２を下向きにバイアスを掛けるためにばね２６が設けられてもよく、これによって、充分なテンションがエンドレス・ループ１８に及ぼされるまで、エンドレス・ループ１８をロック装置１４と係合しないように保持することができる。ロック装置１４の作動は、例えば、ガイド２２が移動した結果、ロック装置１４がエンドレス・ループ１８と係合する状態を表示するソレノイド検出器によって、検出することができる。また、安全バー１２が駆動輪２０によって駆動される速度よりも速く、または遅く、安全バー１２を移動させるようとした場合も、ロック装置１４を作動することができることは、理解できるであろう。
【００１４】
チェーンと係合する固定ギアのスプラインで示されるように、図示された実施形態は、ロック装置１４によるエンドレス・ループ１８との係合により、エンドレス・ループ１８の動きを抑止することができる。（図示しない）別のロック構成では、ガイドは、エンドレス・ループ１８と係合する回転可能なスプロケットの形態であってもよく、この場合、回転可能なスプロケットの軸は、バイアスが掛けられたハウジング内で滑動可能であり、その結果、エンドレス・ループ１８にロック・テンションが掛かった時、回転可能なスプロケットは、変位されて固定歯と係合し、この固定歯との係合によってスプロケットは、不動となり、結果として、エンドレス・ループは、動かないようにロックされる。
【００１５】
別の実施形態では、ガイド２２は、ロック装置と共に働くことが可能であり、その結果、ガイド２２が、エンドレス・ループ１８のロック・テンションによって変位される時、ロック装置１４が作動されるようになる。例えば、ガイド２２の移動を電気的に検出することができ、ガイド２２の移動が検出されると、ピンまたはレバーは、エンドレス・ループ１８が動かないようロックするように、ピンまたはレバーを、例えばソレノイドによって作動することができる。ガイド２２は、ロック・ピンまたはレバーと機械的に連結することもでき、その結果、ガイドの移動によって、ロック・ピンまたはレバーは、エンドレス・ループをロックする位置に動かされる。
【００１６】
別の実施形態では、ロック装置１４によるエンドレス・ループ１８との係合は、単に、エンドレス・ループの動きを抑止するような制動作用をもたらすのみでもよい。例えば、エンドレス・ループ１８がベルトであり、ロック装置１４がベルトの摩擦力により係止するように適合されるような場合が挙げられる。本発明の別の態様を実施するには、いろいろな種類のチェーンおよびベルトを含む、数多くの異なったタイプのエンドレス・ループ１８を適合してもよく、また、それに伴って、ロック装置１４は、エンドレス・ループ１８と係合するように適合された、種々多様な部材の形態をとることができることが理解できるであろう。
【００１７】
ある実施形態では、安全バー１２が、駆動輪２０によって下向きに移動する際に、その経路内に障害物が置かれると、エンドレス・ループ１８のテンションが、ガイド２２を変位させるように作用し、その結果、ロック装置１４が係合されることが理解されよう。この場合、本発明のロック装置１４は、安全バー１２が、開口部に挟まった物体を壊さないような安全装置として機能することができる。
【００１８】
本発明の様々な実施形態を、本明細書に開示しているが、本発明の範囲内で、当業者の有する共通の一般的知識に従って、数多くの適合および修正を行うことができる。例えば、図６および７は、ガイド２２、ロック装置１４、エンドレス・ループ１８、駆動輪２０、および安全バー１２の別の構成の概略を図示しており、それらは、本発明の別の設置方法として利用されることが可能である。また、駆動または非駆動としての駆動輪２０の記述は、単に、駆動輪２０が、エンドレス・ループ１８に異なった作用をもたらすことができる、２つの状態が存在することを示したに過ぎない、機能上の言葉であることも理解されたい。駆動される状態では、駆動輪２０は、エンドレス・ループ１８に連結された装置を、所望の方向に移動させるような効果をもたらす。一方、駆動されない状態では、駆動輪２０は、エンドレス・ループ１８に連結された装置に加えられた力に効率的に反発するように回転を妨げ、それによってロック装置がエンドレス・ループ１８と係合される。他の実施形態では、外力の作用に対する抵抗は、エンドレス・ループ１８と係合するクランプ１９またはスプロケット２１によって、提供されてもよい。クランプ１９が使用された際には、摩擦力をもって、エンドレス・ループ１８を抑止することができる。
【００１９】
本発明に企図される修正は、同じ結果を実質的に同じ形で達成するために、本発明の任意の態様に対して周知の均等物を代用することを含む。特許請求の範囲では、「成る（ｃｏｍｐｒｉｓｉｎｇ）」という言葉は、制限のない語として用いられるものであり、「含むがそれに限定されない」という句と実質的に等価である。
【図面の簡単な説明】
【図１】
窓上への安全バーの設置を示す正面斜視図であって、安全バーの端部が、窓の側部に設けられた側部チャンネルを走行するところを示した図である。
【図２】
安全バーの側部チャンネルの最上部分を示す部分的切断平面図であって、安全バーの端部が中に保持される溝の内部を示し、安全バーを、部分的断面で示すが、その安全バーの端部のいくつかが、駆動輪によって駆動されるエンドレス・ループ・チェーンに連結されていることを示した図である。
【図３】
安全バーの側部チャンネルの最下部分を示す部分的切断平面図であって、安全バーの端部が中に保持されるチャンネルの内部を示しており、安全バーに連結するチェーンが、安全バーに及ぼされる力によってガイドが変位された時、ロック・ホィールと係合するところを示した図である。
【図４】
安全バー側溝を示す最上部断面図であって、安全バーに連結するエンドレス・ループを示しており、チャンネルが窓枠に固定されている図である。
【図５】
図３からの、安全バー側部チャンネルの最下部分を示す部分的切断平面図であって、エンドレス・ループが制動ホィールと係合するように、ガイド部材が変位していることを示した図である。
【図６】
本発明の別のエンドレス・ループのロック構成を示す平面概略図であって、ガイドが、エンドレス・ループを、ロック装置との係合か解除されるように保持するように、エンドレス・ループの外部からバイアスを掛けた図である。
【図７】
本発明の別のエンドレス・ループのロック構成の概略平面図であって、ガイドが、エンドレス・ループを、ロック装置との係合か解除されるように保持するように、エンドレス・ループの外部からバイアスを掛けた図である。
【符号の説明】
１２　安全バー
１４　ロック装置
１６　チャンネル
１８　エンドレス・ループ
２０　駆動輪
２２　ガイド
２６　ばね
【図１】
2004509306.tif 000003
【図２】
2004509306.tif 000004
【図３】
2004509306.tif 000005
【図４】
2004509306.tif 000006
【図５】
2004509306.tif 000007
【図６】
2004509306.tif 000008
【図７】
2004509306.tif 000009
【国際公開パンフレット】
2004509306.tif 000010
2004509306.tif 000011
2004509306.tif 000012
2004509306.tif 000013
2004509306.tif 000014
2004509306.tif 000015
2004509306.tif 000016
2004509306.tif 000017
2004509306.tif 000018
2004509306.tif 000019
2004509306.tif 000020
2004509306.tif 000021
2004509306.tif 000022
2004509306.tif 000023
2004509306.tif 000024
2004509306.tif 000025
2004509306.tif 000026
2004509306.tif 000027
2004509306.tif 000028
2004509306.tif 000029
【国際調査報告】
2004509306.tif 000030
2004509306.tif 000031